(57)【特許請求の範囲】
【請求項１】
ノンリニアアクセスが可能な記録媒体に対して割り当てられたタイムスロットで動作する複数の入出力手段と、
上記入出力手段の動作情報に基づいて該入出力手段の動作状態と、上記入出力手段で扱われるデータのオーディオレベルとを表示させる制御を行う制御手段と、
上記制御手段の制御により表示を行う表示手段と
を有し、
上記動作状態は、
上記記録媒体から、記録時と時系列的に同一方向、且つ、記録時の記録速度と同一速度でデータを再生する第１の状態と、
上記記録媒体の動作を停止する第２の状態と、
上記記録媒体に対して記録動作を行う第３の状態と、
上記記録媒体からのデータの再生動作を中断して該中断時に上記記録媒体から再生されたデータを表示する第４の状態と、
上記記録媒体から、記録時と時系列的に同一方向、且つ、記録時の記録速度と同一乃至はそれ以下の速度でデータを再生する第５の状態と、
上記記録媒体から、記録時と時系列的に同一方向、且つ、記憶時の記録速度より速い速度でデータを再生する第６の状態と、
上記記録媒体から、記録時と時系列的に逆方向、且つ、記録時の記録速度と同一乃至はそれ以下の速度でデータを再生する第７の状態と、
上記記録媒体から、記録時と時系列的に逆方向、且つ、記録時の記録速度より速い速度でデータを再生する第８の状態と
であり、
上記表示手段は、
記録時と時系列的に逆方向への再生を示す第１および第２のセグメントと、
静止画表示を示す第３のセグメントと、
記録時と時系列的に同一方向への再生を示す第４および第５のセグメントと、
停止状態を示す第６のセグメントと、
記録状態を示す第７のセグメントと
を含み、上記動作状態が、
上記第１の状態である場合に上記第４のセグメントを表示し、
上記第２の状態である場合に上記第６のセグメントを表示し、
上記第３の状態である場合に上記第７のセグメントを表示し、
上記第４の状態である場合に上記第３のセグメントを表示し、
上記第５の状態である場合に上記第４のセグメントを表示し、
上記第６の状態である場合に上記第４および第５のセグメントを表示し、
上記第７の状態である場合に上記第２のセグメントを表示し、
上記第８の状態である場合に上記第１および第２のセグメントを表示し、
１画面内に上記複数の入出力手段それぞれの上記動作状態および上記オーディオレベルの表示を同時に行うデータ記録再生装置。
【請求項２】
上記制御手段は、
上記表示手段に対して、上記複数の入力手段それぞれで扱われる４チャンネル分のオーディオデータのオーディオレベルを表示させる制御を行う請求項１に記載のデータ記録再生装置。
【請求項３】
ノンリニアアクセスが可能な記録媒体に対して割り当てられたタイムスロットで動作する複数の入出力のステップと、
上記入出力のステップの動作情報に基づいて該入出力のステップの動作状態と、上記入出力のステップで扱われるデータのオーディオレベルとを表示させる制御を行う制御のステップと、
上記制御のステップによる制御により表示を行う表示のステップと
を有し、
上記動作状態は、
上記記録媒体から、記録時と時系列的に同一方向、且つ、記録時の記録速度と同一速度でデータを再生する第１の状態と、
上記記録媒体の動作を停止する第２の状態と、
上記記録媒体に対して記録動作を行う第３の状態と、
上記記録媒体からのデータの再生動作を中断して該中断時に上記記録媒体から再生されたデータを表示する第４の状態と、
上記記録媒体から、記録時と時系列的に同一方向、且つ、記録時の記録速度と同一乃至はそれ以下の速度でデータを再生する第５の状態と、
上記記録媒体から、記録時と時系列的に同一方向、且つ、記憶時の記録速度より速い速度でデータを再生する第６の状態と、
上記記録媒体から、記録時と時系列的に逆方向、且つ、記録時の記録速度と同一乃至はそれ以下の速度でデータを再生する第７の状態と、
上記記録媒体から、記録時と時系列的に逆方向、且つ、記録時の記録速度より速い速度でデータを再生する第８の状態と
であり、
上記表示のステップは、
記録時と時系列的に逆方向への再生を示す第１および第２のセグメントと、
静止画表示を示す第３のセグメントと、
記録時と時系列的に同一方向への再生を示す第４および第５のセグメントと、
停止状態を示す第６のセグメントと、
記録状態を示す第７のセグメントと
を用いて、上記動作状態が、
上記第１の状態である場合に上記第４のセグメントを表示し、
上記第２の状態である場合に上記第６のセグメントを表示し、
上記第３の状態である場合に上記第７のセグメントを表示し、
上記第４の状態である場合に上記第３のセグメントを表示し、
上記第５の状態である場合に上記第４のセグメントを表示し、
上記第６の状態である場合に上記第４および第５のセグメントを表示し、
上記第７の状態である場合に上記第２のセグメントを表示し、
上記第８の状態である場合に上記第１および第２のセグメントを表示し、
１画面内に上記複数の入出力のステップそれぞれの上記動作状態および上記オーディオレベルの表示を同時に行う動作状態表示方法。
【発明の詳細な説明】
【０００１】
【発明の属する技術分野】
この発明は、オーディオデータおよび／またはビデオデータの入出力を行う入出力ポートを複数有し、入力されたオーディオデータおよび／またはビデオデータをノンリニアアクセスが可能な記録媒体に記録すると共に、複数の入出力ポートのそれぞれの動作状態を表示するようにされたデータ記録再生装置および動作状態表示方法に関する。
【０００２】
【従来の技術】
近年では、テレビジョン放送において映像および音声信号をディジタル方式で伝送する、ディジタル放送などの普及により、情報提供の多チャンネル化が進行している。多チャンネル化に伴い、１台のビデオデータおよび／またはオーディオデータ（以下、Ａ／Ｖデータと記述する）記録再生装置によって、複数のＡ／Ｖデータの並列的な記録および再生、ならびに、記録しながらの再生などを行うことが要求されてきている。そして、この要求を満たすために、ハードディスクなどのランダムアクセス可能な記録媒体を用いてＡ／Ｖデータを記録するビデオサーバ（以下、Ａ／Ｖ(Audio and/or Video)サーバと記述する）と称される装置が普及しつつある。
【０００３】
Ａ／Ｖサーバでは、それぞれ独立にＡ／Ｖデータの入出力を有する複数の入出力を有する。これら複数の入出力ポートには、複数台のカメラや送出装置、編集装置などがそれぞれ接続される。例えば、複数台のカメラの撮影によるビデオデータがそれぞれの入出力ポートから入力され、モニタに表示されると共に、記録媒体に記録される。同時に、記録媒体から所定のＡ／Ｖデータが読み出され、入出力ポートを介して編集装置に送られて編集される。さらに、所定の制御により選択されたＡ／Ｖデータが記録媒体から読み出され、入出力ポートを介して送出装置に送られる。
【０００４】
【発明が解決しようとする課題】
ところで、Ａ／Ｖサーバは、ＲＳ−４２２などを通信規格としたインターフェイスを有し、このインターフェイスを介して専用の編集装置やパーソナルコンピュータと接続され、接続された外部コントローラによって、外部から動作の制御がなされる。あるいは、Ａ／Ｖサーバは、より大規模なシステムに所定のインターフェイスで接続されて組み込まれ、そのシステムのアプリケーションによって制御される。Ａ／Ｖサーバに蓄積されたＡ／Ｖデータや入力ポートに入力されるＡ／Ｖデータは、上述のコントロール装置やパーソナルコンピュータによる操作、あるいは、大規模なシステムのアプリケーションの制御に基づき、別途に設けられたモニタによって確認することができる。
【０００５】
従来のＡ／Ｖサーバは、このように、外部コントローラや、大規模なシステムのアプリケーションにより制御されていた。そのため、従来のＡ／Ｖサーバには、操作のためのユーザインターフェイスが設けられておらず、各入出力ポートが現在どのような動作状態（例えば記録中、再生中）にあるかを示す表示機能も有していなかった。したがって、従来では、Ａ／Ｖサーバの動作状態がユーザから見て不明確であったという問題点があった。
【０００６】
一方、現在では、Ａ／Ｖサーバ本体にコントロールパネルなどの操作手段が設けられ、独立して使用することが可能なＡ／Ｖサーバが提案されている。このような、独立したＡ／Ｖサーバでは、特に、各ポートの動作状態を表示できる機能を持つことが望まれていた。
【０００７】
このときに、各入出力ポートの動作状態を単にランプ等の点灯表示や、文字だけで表示したのでは、多数の入出力ポートを有する場合に、明確な表示を行うことができないという問題点があった。
【０００８】
さらに、多数の入出力ポートを有する場合でも、全てのポートの動作状態が一見して把握できるようにすることが要望されていた。
【０００９】
したがって、この発明の目的は、複数の入出力ポートの動作状態を明確に表示するようにされたデータ記録再生装置および動作状態表示方法を提供することにある。
【００１０】
【課題を解決するための手段】
この発明は、上述した課題を解決するために、ノンリニアアクセスが可能な記録媒体に対して割り当てられたタイムスロットで動作する複数の入出力手段と、入出力手段の動作情報に基づいて該入出力手段の動作状態と、入出力手段で扱われるデータのオーディオレベルとを表示させる制御を行う制御手段と、制御手段の制御により表示を行う表示手段とを有し、動作状態は、記録媒体から、記録時と時系列的に同一方向、且つ、記録時の記録速度と同一速度でデータを再生する第１の状態と、記録媒体の動作を停止する第２の状態と、記録媒体に対して記録動作を行う第３の状態と、記録媒体からのデータの再生動作を中断して該中断時に記録媒体から再生されたデータを表示する第４の状態と、記録媒体から、記録時と時系列的に同一方向、且つ、記録時の記録速度と同一乃至はそれ以下の速度でデータを再生する第５の状態と、記録媒体から、記録時と時系列的に同一方向、且つ、記憶時の記録速度より速い速度でデータを再生する第６の状態と、記録媒体から、記録時と時系列的に逆方向、且つ、記録時の記録速度と同一乃至はそれ以下の速度でデータを再生する第７の状態と、記録媒体から、記録時と時系列的に逆方向、且つ、記録時の記録速度より速い速度でデータを再生する第８の状態とであり、表示手段は、記録時と時系列的に逆方向への再生を示す第１および第２のセグメントと、静止画表示を示す第３のセグメントと、記録時と時系列的に同一方向への再生を示す第４および第５のセグメントと、停止状態を示す第６のセグメントと、記録状態を示す第７のセグメントとを含み、動作状態が、第１の状態である場合に第４のセグメントを表示し、第２の状態である場合に第６のセグメントを表示し、第３の状態である場合に第７のセグメントを表示し、第４の状態である場合に第３のセグメントを表示し、第５の状態である場合に第４のセグメントを表示し、第６の状態である場合に第４および第５のセグメントを表示し、第７の状態である場合に第２のセグメントを表示し、第８の状態である場合に第１および第２のセグメントを表示し、１画面内に複数の入出力手段それぞれの動作状態およびオーディオレベルの表示を同時に行うデータ記録再生装置である。
【００１１】
また、この発明は、ノンリニアアクセスが可能な記録媒体に対して割り当てられたタイムスロットで動作する複数の入出力のステップと、入出力のステップの動作情報に基づいて該入出力のステップの動作状態と、入出力のステップで扱われるデータのオーディオレベルとを表示させる制御を行う制御のステップと、制御のステップによる制御により表示を行う表示のステップとを有し、動作状態は、記録媒体から、記録時と時系列的に同一方向、且つ、記録時の記録速度と同一速度でデータを再生する第１の状態と、記録媒体の動作を停止する第２の状態と、記録媒体に対して記録動作を行う第３の状態と、記録媒体からのデータの再生動作を中断して該中断時に記録媒体から再生されたデータを表示する第４の状態と、記録媒体から、記録時と時系列的に同一方向、且つ、記録時の記録速度と同一乃至はそれ以下の速度でデータを再生する第５の状態と、記録媒体から、記録時と時系列的に同一方向、且つ、記憶時の記録速度より速い速度でデータを再生する第６の状態と、記録媒体から、記録時と時系列的に逆方向、且つ、記録時の記録速度と同一乃至はそれ以下の速度でデータを再生する第７の状態と、記録媒体から、記録時と時系列的に逆方向、且つ、記録時の記録速度より速い速度でデータを再生する第８の状態とであり、表示のステップは、記録時と時系列的に逆方向への再生を示す第１および第２のセグメントと、静止画表示を示す第３のセグメントと、記録時と時系列的に同一方向への再生を示す第４および第５のセグメントと、停止状態を示す第６のセグメントと、記録状態を示す第７のセグメントとを用いて、動作状態が、第１の状態である場合に第４のセグメントを表示し、第２の状態である場合に第６のセグメントを表示し、第３の状態である場合に第７のセグメントを表示し、第４の状態である場合に第３のセグメントを表示し、第５の状態である場合に第４のセグメントを表示し、第６の状態である場合に第４および第５のセグメントを表示し、第７の状態である場合に第２のセグメントを表示し、第８の状態である場合に第１および第２のセグメントを表示し、１画面内に複数の入出力のステップそれぞれの動作状態およびオーディオレベルの表示を同時に行う動作状態表示方法である。
【００１２】
上述したように、この発明は、ノンリニアアクセスが可能な記録媒体に対して割り当てられたタイムスロットで動作する複数の入出力手段を有し、入出力手段の動作情報に基づき、制御手段によって入出力手段の動作状態を表示させるように制御する。
【００１３】
【発明の実施の形態】
以下、この発明の実施の一形態について図面を参照して詳細に説明する。この実施の一形態に係るデータ記録再生装置は、ＡＶデータの記録再生、入出力および編集の機能を有し、１台の装置で編集作業を行うことを可能とした装置である。
【００１４】
図１は、この発明の一実施の形態に係るデータ記録再生装置の外観を示す斜視図である。このデータ記録再生装置は、複数の入出力ポートを有し、オーディオデータおよび／またはビデオデータ（以下、Ａ／Ｖ(Audio and/or Video)データと称する）の記録ならびに蓄積、および、蓄積されたＡ／Ｖデータの再生を並列的に行うことができるようにされた、Ａ／Ｖサーバとして構成される。
【００１５】
この実施の一形態に係るデータ記録再生装置１は、１つの筐体２を備えている。この筐体２は、例えば１台のＶＴＲと同等の大きさである。筐体２の前面には、上側にメータパネル３が設けられ、下側にコントロールパネル４が設けられている。コントロールパネル４は、筐体２に対して取り外し可能になっている。なお、コントロールパネル４は、筐体２から取り外して、使用しないようにすることもできるし、筐体２から取り外し、ケーブルによって筐体２内の回路と接続して、筐体２から取り外した状態で使用することもできるようになっている。
【００１６】
図２は、図１に示したメータパネル３とコントロールパネル４における主要な部分を示す正面図である。この実施の一形態に係るデータ記録再生装置１は、Ａ／Ｖデータの入力を行うための入力部またはＡ／Ｖデータの出力を行うための出力部としての４つのポートを備えている。各ポートは、それぞれビデオデータと４チャンネルまたは８チャンネルのオーディオデータの入力または出力が可能になっている。
【００１７】
図２に示したメータパネル３は、４つのポートの動作状態を表示するための表示部１１を備えている。この表示部１１は、各ポートに対応した４つの表示領域１１Ａ〜１１Ｄを有している。表示領域１１Ａ〜１１Ｄは、それぞれ、表示部１１における左上、右上、左下、右下の部分に配置されている。各表示領域１１Ａ〜１１Ｄは、それぞれ、４チャンネル分のオーディオレベルメータを表示するためのオーディオレベルメータ部１２と、タイムコード等を表示するためのドットマトリクス部１３と、各ポートの現在の動作状態（再生中、記録中等）を表示するための状態表示部１４と、表示されているタイムコードの種類等の各種の情報を表示するための情報表示部１５とを有している。
【００１８】
なお、オーディオレベルメータ部１２には、各チャンネル毎のオーディオレベルメータの下側に、対応するチャンネルの番号が表示されるようになっている。また、後述するスイッチを操作することにより、オーディオレベルメータ部１２には、第１チャンネルから第４チャンネルまでの４つのオーディオレベルメータと、第５チャンネルから第８チャンネルまでの４つのオーディオレベルメータのいずれかが、選択的に表示されるようになっている。なお、表示の切り替えは、図示しないスイッチの操作に応じてなされるようになっている。
【００１９】
また、この実施の一形態に係るデータ記録再生装置１では、各ポート毎に、Ａ／Ｖデータの入力の選択や、オーディオデータの記録または再生のレベルの調整や、オーディオデータをモニタするチャンネルの選択等の各種の操作を行うことができるようになっている。メータパネル３には、このような操作の対象となるポートを選択するための４つのポート選択スイッチ１６が設けられている。
【００２０】
メータパネル３には、更に、オーディオデータの記録または再生のレベルの調整を行うための４つのロータリエンコーダ１７と、ビデオプロセスの調整を行うためのロータリエンコーダ１８とが設けられている。
【００２１】
一方、コントロールパネル４は、編集作業に必要な各種のスイッチや、編集作業に用いる画像等を表示するための表示部を含む操作・表示部２１を備えている。また、コントロールパネル４には、ポート選択スイッチ１６と同様に、操作の対象となるポートを選択するための４つのポート選択スイッチ２２が設けられている。コントロールパネル４には、更に、記録を指示するスイッチ２３、巻き戻しを指示するためのスイッチ２４、再生を指示するためのスイッチ２５、早送りを指示するためのスイッチ２６および停止を指示するためのスイッチ２７が設けられている。また、この実施の一形態に係るデータ記録再生装置１は、最大２台までの外部のＶＴＲを遠隔操作することができるようになっている。コントロールパネル４には、遠隔操作する外部のＶＴＲを選択するための２つのスイッチ２８が設けられている。さらに、コントロールパネル４には、再生の速度および方向を指示するためのダイヤル２９が設けられている。
【００２２】
図３は、この実施の一形態に係るデータ記録再生装置１の回路構成を示すブロック図である。この実施の一形態に係るデータ記録再生装置１は、Ａ／Ｖデータを転送するためのデータバス３０Ａおよびコマンドを転送するためのＣＰＵバス３０Ｂとを備えている。バス３０Ａおよび３０Ｂには、それぞれ、タイミング管理部３１、情報管理部３２、記録再生部３３、データ管理部３４Ａ〜３４Ｄおよび制御部３６が接続されている。データ管理部３４Ａ〜３４Ｄには、それぞれ、データ入出力部３７Ａ〜３７Ｄが接続されている。制御部３６には、特殊効果部（エフェクタ）３９が接続されている。また、制御部３６には、メータパネル３が接続され、タイミング管理部３１には、コントロールパネル４が接続されている。各部３１〜３９は、例えば別個の基板によって構成されている。
【００２３】
タイミング管理部３１は、タイミングパルス発生器４１を有している。タイミングパルス発生器４１は、タイミングパルスを発生し、タイミングパルスを必要とする各回路に供給するようになっている。タイミングパルス発生部４１には、外部からの基準ビデオ信号Ｖref が入力されるようになっている。タイミング管理部３１は、更に、コントロールパネル４と内部バス３０とを接続するためのインタフェース（図では、Ｉ／Ｆと記す。）４２を有している。
【００２４】
情報管理部３２は、記録媒体におけるファイルの記録領域を示すファイル管理情報を保持し、このファイル管理情報に基づいてファイルの管理を行うファイル管理部４３と、イーサネット等の外部のネットワークに接続され、外部のネットワークとの間でデータの入出力を行うネットワークドライバ４４とを有している。
【００２５】
記録再生部３３は、ビデオデータを記録するための複数のハードディスク装置（以下、ＨＤＤと記す。）４５に接続され、これらのＨＤＤ４５を制御するビデオ用ディスクアレイコントローラ４７と、オーディオデータを記録するための複数のＨＤＤ４６に接続され、これらのＨＤＤ４６を制御するオーディオ用ディスクアレイコントローラ４８と、これらのディスクアレイコントローラ４７，４８と内部バス３０との間に設けられ、データを一時的に記憶するためのバッファメモリ４９とを有している。
【００２６】
ここでは、ビデオデータ用のＨＤＤ４５は、９台設けられ、そのうちの８台はＡ／Ｖデータの記録用で、１台はパリティデータの記録用になっている。９台のＨＤＤ４５とビデオ用ディスクアレイコントローラ４７は、ＲＡＩＤ（Redutant Arrays of Inexpensive Disks）３の構成になっている。一方、オーディオデータ用のＨＤＤ４６は、２台設けられている。２台のＨＤＤ４６とオーディオ用ディスクアレイコントローラ４８は、ＲＡＩＤ１の構成になっている。
【００２７】
制御部３６は、編集部５１と、メータパネル３、内部バス３０とを接続するためのインタフェース（図では、Ｉ／Ｆと記す。）５２およびＣＰＵ８１を有している。ＣＰＵ８１は、ＣＰＵバス３０Ｂと接続されており、ＣＰＵバス３０Ｂに接続された他の構成と通信を行うことができる。なお、インタフェース５２には、外部からの編集コマンドＣE も入力できるようになっている。編集部５１は、マトリクススイチャとオーディオミキサの機能を有している。また、編集部５１は、特殊効果部３９に接続され、特殊効果部３９に対してデータを出力するための２つのデータ出力経路と、特殊効果部３９からデータを入力するための１つのデータ入力経路とを有している。また、編集部５１は、モニタ用のデータＤM を出力できるようになっている。
【００２８】
特殊効果部３９は、ディゾルブ、ワイプ等の特殊効果を得るための処理を行うようになっている。
【００２９】
データ入出力部３７Ａ〜３７Ｄは、それぞれ端子６１Ａ〜６１Ｄに接続されている。ここで、端子６１Ａはデータ入力端子、端子６１Ｂ〜６１Ｄはデータ出力端子であるものとする。また、端子６１Ａ〜６１Ｄによって入出力されるＡ／Ｖデータは、例えば、シリアルディジタルインタフェース（以下、ＳＤＩと記す。）規格に従ったディジタルデータである。
【００３０】
データ入出力部３７Ａおよびデータ管理部３４Ａは、１つのポート６０Ａを構成し、データ入出力部３７Ｂおよびデータ管理部３４Ｂは、１つのポート６０Ｂを構成し、データ入出力部３７Ｃおよびデータ管理部３４Ｃは、１つのポート６０Ｃを構成し、データ入出力部３７Ｄおよびデータ管理部３４Ｄは、１つのポート６０Ｄを構成している。
【００３１】
データ入出力部３７Ａは、ＳＤＩ規格のデータを圧縮するエンコーダ６２と、２入力１出力の切り替えスイッチ６４を有している。スイッチ６４の一方の入力端は端子６１Ａに接続され、他方の入力端は編集部５１に接続され、出力端はエンコーダ６２の入力端に接続されている。なお、端子６１Ａは、編集部５１にも接続されている。
【００３２】
データ入出力部３７Ｂは、圧縮されたデータを伸長してＳＤＩ規格のデータに変換するデコーダ６３と、２入力１出力の切り替えスイッチ６５を有している。スイッチ６５の一方の入力端はデコーダ６３の出力端に接続され、他方の入力端は編集部５１に接続され、出力端は端子６１Ｂに接続されている。なお、デコーダ６３の出力端は、編集部５１にも接続されている。
【００３３】
データ入出力部３７Ｃは、圧縮されたデータを伸長してＳＤＩ規格のデータに変換するデコーダ７２と、２入力１出力の切り替えスイッチ７４を有している。スイッチ７４の一方の入力端はデコーダ７２の出力端に接続され、他方の入力端は編集部５１に接続され、出力端は端子６１Ｃに接続されている。なお、デコーダ７２の出力端は、編集部５１にも接続されている。
【００３４】
データ入出力部３７Ｄは、圧縮されたデータを伸長してＳＤＩ規格のデータに変換するデコーダ７３と、２入力１出力の切り替えスイッチ７５を有している。スイッチ７５の一方の入力端はデコーダ７３の出力端に接続され、他方の入力端は編集部５１に接続され、出力端は端子６１Ｄに接続されている。なお、デコーダ７３の出力端は、編集部５１にも接続されている。
【００３５】
データ管理部３４Ａは、データ入出力部３７Ａのエンコーダ６２の出力端と内部バス３０との間に介挿されたバッファメモリ６６を有している。データ管理部３４Ｂは、内部バス３０とデータ入出力部３７Ｂのデコーダ６３の入力端との間に介挿されたバッファメモリ６７を有している。データ管理部３４Ｃは、内部バス３０とデータ入出力部３７Ｃのデコーダ７２の入力端との間に介挿されたバッファメモリ７６を有している。データ管理部３４Ｄは、内部バス３０とデータ入出力部３７Ｄのデコーダ７３の入力端との間に介挿されたバッファメモリ７７を有している。
【００３６】
なお、データ管理部３４Ａは、ＣＰＵ８０Ａを有し、ＣＰＵバス３０Ｂによって接続されている他の構成と通信を行うことができる。同様に、データ管理部３４Ｂ、３４Ｃおよび３４Ｄは、それぞれＣＰＵ８０Ｂ、８０Ｃおよび８０Ｄを有し、ＣＰＵバス３０Ｂによって接続されている他の構成と通信を行うことができる。
【００３７】
データ管理部３４Ａには、外部からの記録コマンドＣR を入力できるようになっている。データ管理部３４Ａは、記録コマンドＣR に応じて、端子６１Ａに入力されたデータを記録再生部３３に転送し、記録させる処理を制御するようになっている。データ管理部３４Ｂ〜３４Ｄには、外部からの再生コマンドＣP を入力できるようになっている。データ管理部３４Ｂ〜３４Ｄは、再生コマンドＣP に応じて、記録再生部３３によってデータを再生させ、このデータを端子６１Ｂ〜６１Ｄに転送する処理を制御するようになっている。
【００３８】
図３における各部３１〜３９は、それぞれ、ＣＰＵ（中央処理装置）、ＲＯＭ（リード・オンリ・メモリ）およびＲＡＭ（ランダム・アクセス・メモリ）を含むマイクロコンピュータを有している。
【００３９】
データ管理部３４Ａ〜３４Ｄは、タイムスロットを用いて、各ポート６０Ａ〜６０Ｄ毎の、記録再生装置３３に対するアクセスを時分割で行うようになっている。
【００４０】
なお、データ入出力部３７Ａ〜３７Ｄおよびデータ管理部３４Ａ〜３４Ｄは、それぞれ、他の種類のデータ入出力部およびデータ管理部に取り替えることができるようになっている。例えば、出力型のデータ入出力部３７Ｂおよびデータ管理部３４Ｂ、データ入出力部３７Ｃおよびデータ管理部３４Ｃ、データ入出力部３７Ｄおよびデータ管理部３４Ｄのいずれかの組を、データ入出力部３７Ａおよびデータ管理部３４Ａの組のような入力型のデータ入出力部およびデータ管理部に取り替えることができる。このようにした場合には、データ記録再生装置１は、２つの入力ポートと２つの出力ポートを有する装置となる。
【００４１】
次に、この実施の一形態に係るデータ記録再生装置１の動作について説明する。まず、外部より入力されたＡ／Ｖデータを記録するときの動作について説明する。このときには、端子６１Ａにデータが入力される。このデータは、データ入出力部３７Ａ内のスイッチ６４を経て、エンコーダ６２に入力されて圧縮される。圧縮されたデータは、データ管理部３４Ａ内のバッファメモリ６６に一時的に記憶される。データ管理部３４Ａは、自己に割り当てられたタイムスロットの期間において、記録再生部３３にアクセスし、バッファメモリ６６に記憶されたデータを、内部バス３０を介して、記録再生部３３に転送する。
【００４２】
記録再生部３３では、転送されてきたデータは、バッファメモリ４９に一時的に記憶された後、読み出される。バッファメモリ４９より読み出されたデータのうち、ビデオデータはビデオ用ディスクアレイコントローラ４７に入力され、オーディオデータはオーディオ用ディスクアレイコントローラ４８に入力される。ビデオ用ディスクアレイコントローラ４７は、入力されたビデオデータを、所定の単位で分割し、且つパリティデータを計算し、分割されたデータおよびパリティデータを複数のＨＤＤ４５に記録する。また、オーディオ用ディスクアレイコントローラ４８は、入力されたオーディオデータを、２つのＨＤＤ４６に対して記録する。
【００４３】
次に、記録されているデータを外部に出力するときの動作について説明する。このときには、データ管理部３４Ｂ〜３４Ｄのいずれかが、自己に割り当てられたタイムスロットの期間において、記録再生部３３にアクセスし、記録再生部３３に対して、データの再生を要求する。データ再生部３３では、ビデオ用ディスクアレイコントローラ４７が、複数のＨＤＤ４５より分割されたビデオデータおよびパリティデータを読み出し、分割されたデータを単一化すると共に、パリティデータに基づいてエラー検出およびエラー訂正を行って、ビデオデータを再生する。また、オーディオ用ディスクアレイコントローラ４８は、２つのＨＤＤ４６のうち、エラーのないＨＤＤ４６より、オーディオデータを再生する。再生されたビデオデータおよびオーディオデータは、バッファメモリ４９に一時的に記憶された後、読み出されて、内部バス３０を介して、データ管理部３４Ｂ〜３４Ｄのいずれかに転送される。
【００４４】
データを、端子６１Ｂより外部に出力する場合には、再生されたデータは、データ管理部３４Ｂのバッファメモリ６７を経て、データ入出力部３７Ｂ内のデコーダ６３によって伸長され、スイッチ６５を経て、端子６１Ｂより外部に出力される。データを、端子６１Ｃより外部に出力する場合には、再生されたデータは、データ管理部３４Ｃのバッファメモリ７６を経て、データ入出力部３７Ｃ内のデコーダ７２によって伸長され、スイッチ７４を経て、端子６１Ｃより外部に出力される。データを、端子６１Ｄより外部に出力する場合には、再生されたデータは、データ管理部３４Ｄのバッファメモリ７７を経て、データ入出力部３７Ｄ内のデコーダ７３によって伸長され、スイッチ７５を経て、端子６１Ｄより外部に出力される。
【００４５】
なお、この実施の一形態に係るデータ記録再生装置１では、データ管理部３４Ａ〜３４Ｄが時分割で動作するので、３つの端子６１Ｂ〜６１Ｄより、同じデータあるいは異なるデータを同時に出力することが可能である。
【００４６】
次に、データの編集を行うときの動作について説明する。制御部３６の編集部５１は、外部より入力されたデータと記録再生部３３によって再生されたデータとの少なくとも一方を用いてデータの編集処理を行う。すなわち、編集部５１は、端子６１Ａを介して外部より入力されたデータと、記録再生部３３によって再生され、デコーダ６３，７２，７３によって伸長された各出力データを入力することができる。編集部５１は、これらのデータのうちの少なくとも１つを用い、自己が有するマトリクススイッチャやオーディオミキサを利用し、また必要に応じて特殊効果部３９を利用して、編集処理を行う。編集部５１は、ディゾルブ、ワイプ等の特殊効果を得るためのＡＢロール編集を行うことができる。
【００４７】
編集部５１は、編集処理によって得られたデータを、スイッチ６４，６５，７４，７５のいずれかに出力することができる。スイッチ６４に出力されたデータは、記録再生部３３によってＨＤＤ４５，４６に記録される。スイッチ６５，７４，７５に出力されたデータは、それぞれ端子６１Ｂ，６１Ｃ，６１Ｄより出力される。このように、編集部５１は、リニア編集を行うことができる。
【００４８】
編集部５１は、更に、編集後のデータを出力することなく、編集点のデータ等の編集情報のみを保持するノンリニア編集を行うこともできる。
【００４９】
また、この実施の一形態に係るデータ記録再生装置１では、メータパネル３を用いて、Ａ／Ｖデータの入力の選択や、オーディオデータの記録または再生のレベルの調整や、オーディオデータをモニタするチャンネルの選択等の各種の操作を行うことができる。また、メータパネル３の表示部１１によって、４つのポートの動作状態を表示することができる。
【００５０】
また、この実施の一形態に係るデータ記録再生装置１では、コントロールパネル４を用いて、編集作業に必要な操作を行うことができる。
【００５１】
次に、この実施の一形態に適用されるファイルシステムについて説明する。ファイルシステムは、サーバ部すなわち記録再生部３３において、ファイルが記録再生部３３を構成するＨＤＤ４５のどの位置に記録されたかを管理するシステムである。ファイルシステムによるファイル管理は、ファイル管理部４３で実行される。
【００５２】
ファイルシステム情報は、概略的には、
(1) ファイルエントリ情報、
(2) レコードエントリ情報、
(3) フリースペースリスト情報、
これら３つの情報から成る。図４は、これら各情報の一例の構造を概略的に示す。これらファイルエントリ情報、レコードエントリ情報およびフリースペース情報は、例えば、ファイル管理情報として情報管理部３２に保持される。
【００５３】
(1) のファイルエントリ情報は、図４Ａに一例が示されるように、ファイル名と、最初のレコードエントリ情報へのポインタ情報とが記述される。したがって、ファイルエントリ情報は、ファイル単位に設定される。ファイルエントリ情報は、そのファイルがＨＤＤ４５のどの位置から、どれだけの長さが書き込まれているかを示す情報である、後述するレコードエントリ情報へ、リンク情報に基づきリンクされる。
【００５４】
(2) のレコードエントリ情報は、図４Ｂに一例が示されるように、ＨＤＤ４５に対して実際にファイルが書き込まれた、ＨＤＤ４５上の先頭のアドレス情報と、先頭位置を示すアドレスからどれだけの長さが連続して書き込まれたかを示す、連続領域のデータ長を示すデータ長情報とが記述される。さらに、レコードエントリ情報には、次のレコードエントリ情報へのリンク情報が記述される。
【００５５】
ＨＤＤ４５では、１つのファイルが異なる領域に分断されて書き込まれる場合がある。この場合には、分断された領域毎にレコードエントリ情報が作成される。リンク情報は、分断されたファイルが書き込まれた次の領域の情報を示すレコードエントリ情報へのリンクを示す情報である、例えばポインタ情報からなる。複数のレコードエントリ情報において、リンク情報に示されるポインタ情報を次々に辿っていくことで、異なる領域に分断されたファイルのアドレス情報を把握することができる。なお、連続領域でファイルが終了している場合には、リンク情報として、例えば「ＥＯＦ(End of File) 」が書き込まれる。
【００５６】
図５は、このレコードエントリ情報によるファイルのアクセスについて、概略的に示す。ＨＤＤのアドレス空間に対して、ファイル名「Ａ」のファイルが図５Ａに一例が示されるように書き込まれているものとする。すなわち、ファイル「Ａ」は、３つに分断され、アドレス〔５０〕〜〔１００〕、アドレス〔２００〕〜〔３００〕およびアドレス〔５００〕〜〔７５０〕にそれぞれ書き込まれている。なお、以下の説明では、アドレスの数値は、記録ならびに再生時間に対応しており、例えばアドレス〔１００〕からアドレス〔２００〕までのアドレス〔１００〕分の再生長が長さ〔１００〕であると記述する。
【００５７】
図５Ｂは、図５Ａに対応したファイルエントリ情報（ＦＥ）とレコードエントリ情報（ＲＥ）の例を示す。ファイルエントリ情報には、当該ファイルのファイル名「Ａ」が記述されると共に、最初のレコードエントリ情報にリンクするためのリンク情報が記述されている。リンク情報は、例えばリンクすべき最初のレコードエントリ情報のファイル名である。あるいは、そのレコードエントリ情報が書き込まれている位置、例えばアドレスを示すポインタ情報を、直接的にリンク情報としてもよい。
【００５８】
ファイル「Ａ」が３つに分断されているこの例では、レコードエントリ情報は、３つ作成される。先ず、分断された最初の領域は、アドレス〔５０〕からんがさ〔５０〕のデータが（すなわちアドレスは〔１００〕まで）書き込まれていることが記述されている。すなわち、アドレス〔５０〕〜〔１００〕は、連続的にデータが書き込まれている。また、ファイル「Ａ」は、次の連続領域にわたって書き込まれている。リンク情報を辿ることで、ファイル「Ａ」が書き込まれた次の連続領域を示すレコードエントリ情報が参照され、アドレス〔１００〕から長さ〔１００〕のデータ、すなわち、アドレス〔１００〕〜〔２００〕の連続領域にデータが書き込まれていることが分かる。さらに、ファイル「Ａ」は、その次の連続領域にまでわたって書き込まれている。上述と同様にして、リンク情報を辿ることで、ファイル「Ａ」が書き込まれた次の連続領域を示すレコードエントリ情報が参照され、アドレス〔５００〕から長さ〔２５０〕のデータ、すなわち、アドレス〔５００〕〜〔７５０〕の連続領域にデータが書き込まれていることがわかる。ファイル「Ａ」は、アドレス〔７５０〕で終了しているので、次の連続領域へはリンクせず、対応するレコードエントリ情報には、リンク情報として「ＥＯＦ」が記述される。
【００５９】
(3) のフリースペースリスト情報は、ＨＤＤ４５上の、データが書き込まれていない領域の情報が記述される。記述方法は、上述のレコードエントリ情報に準ずる。すなわち、図４Ｃに示されるように、データが書き込まれていない領域すなわち空き領域の先頭のアドレス情報と、空き領域が連続する長さとが記述される。それと共に、次のフリースペースリスト情報へのリンク情報が記述される。リンク情報は、例えばリンクすべき最初のフリースペースリスト情報のファイル名である。あるいは、そのフリースペースリスト情報が書き込まれている位置、例えばアドレスを示すポインタ情報を、直接的にリンク情報としてもよい。
【００６０】
図５Ｃは、図５Ａに対応したフリースペースリスト情報のリンクの様子を概略的に示す。図５Ａの例では、アドレス〔０〕〜〔５０〕、アドレス〔１００〕〜〔２００〕およびアドレス〔３００〕〜〔５００〕がデータが書かれていない領域である。したがって、図５Ｃに示されるように、最初のフリースペースリスト情報は、連続した空き領域の先頭アドレスが〔０〕とされ、長さ〔５０〕の空き領域があることが記述されている。リンク情報を辿って次のフリースペースリスト情報を参照すると、空き領域の先頭アドレスが〔１００〕で、先頭アドレスから１００分の長さの空き領域があることが記述されている。さらにリンク情報を辿って次のフリースペース情報を参照すると、空き領域の先頭アドレスが〔３００〕で、先頭アドレスから長さ〔２００〕の空き領域があることが分かる。リンク情報として「ＥＯＦ」が記述されているので、このＨＤＤにはこれ以上の空き領域が存在しないことが分かる。このように、フリースペースリスト情報を、リンク情報に基づいて次々に参照していくことで、ＨＤＤ全体の空き領域を把握することができる。
【００６１】
上述したファイルエントリ情報、レコードエントリ情報およびフリースペース情報の３つの情報に基づき、この実施の一形態による、ＨＤＤ４５上のファイルを管理するファイルシステムが構成される。例えば、上述したファイル「Ａ」が既に書き込まれているＨＤＤ４５に対して、別のファイル「Ｂ」が書き込まれると、書き込まれるファイル「Ｂ」のファイル名「Ｂ」に基づきファイルエントリ情報が作成される。そして、フリースペースリスト情報を参照しながらファイル「Ｂ」がＨＤＤ４５に書き込まれる。その際、ファイル「Ｂ」の書き込みアドレスおよびデータ長に基づき、レコードエントリ情報が作成される。また、ファイル「Ｂ」が書き込まれることにより、ＨＤＤ４５上の空き領域が変化し、フリースペースリスト情報が書き替えられる。
【００６２】
次に、上述したようなファイルシステムに基づきなされる、この実施の一形態によるＡ／Ｖデータの編集処理について概略的に説明する。この実施の一形態では、編集した結果を実Ａ／Ｖデータファイルとして出力せずに、編集結果を示す仮想ファイル（バーチャルファイルリスト：ＶＦＬと称する）を作成する。ＶＦＬには、Ａ／Ｖサーバ上で編集結果を再生するのに必要な情報が記述される。
【００６３】
Ａ／Ｖサーバに編集装置が接続される。なお、この実施の一形態によるＡ／Ｖサーバでは、Ａ／Ｖサーバ本体に付属されるコントロールパネル４によっても、蓄積されたＡ／Ｖデータの編集を行うことができる。以下では、Ａ／Ｖサーバに外部の編集装置が接続された場合について説明する。
【００６４】
編集装置からＡ／Ｖサーバに対して編集コマンドＣE 、再生コマンドＣP および記録コマンドＣR などの各種コマンドが供給される。Ａ／Ｖサーバに蓄積された例えばファイル名が「Ａ」のファイル（以下、ファイル「Ａ」と記述する）を編集しようとするとき、ファイル「Ａ」を示す情報を、編集装置からＡ／Ｖサーバに対して出力する。Ａ／Ｖサーバ側では、情報管理部３２に保持されているファイル管理情報に基づいてファイル「Ａ」がＨＤＤ４５上のどの領域に記録されているかがわかるため、情報管理部３２から記録再生部３３に対して再生コマンドを発行し、ファイル「Ａ」を再生する。再生されたファイル「Ａ」は、例えばバス３０Ａを介してポート６０Ｂに供給され、ポート６０Ｂから編集装置に転送される。
【００６５】
編集装置側では、転送されたファイル「Ａ」をもとに、編集装置に接続あるいは内蔵されたモニタに映出させる。編集作業を行う編集オペレータは、モニタ映像を確認しながら、Ａ／Ｖサーバに蓄積された素材のどの部分を実際に使用するかを示す編集点を、編集装置に設けられた操作手段を操作して設定する。編集作業には、再生を開始するＩＮ点および再生を終了するＯＵＴ点を設定したり、再生映像に対してワイプやディゾルブなどの特殊効果をかけるなどの、様々な処理がある。以下では、説明のため、ＩＮ点およびＯＵＴ点の設定をする場合について説明する。
【００６６】
ＩＮ点およびＯＵＴ点を編集によって設定した編集結果は、Ａ／Ｖサーバに転送される。このとき、この実施の一形態では、編集に用いたＡ／Ｖファイルのファイル名と共に、設定されたＩＮ点およびＯＵＴ点の情報だけをＡ／Ｖサーバに転送する。編集内容に基づく実Ａ／Ｖファイルは、作成しない。
【００６７】
編集結果として、上述したＶＦがＡ／Ｖサーバに転送される。このＶＦＬがＡ／Ｖサーバに転送され、情報管理部３２の図示されないメモリに格納されることで、編集作業が完了する。Ａ／Ｖサーバでは、このＶＦＬに基づきＨＤＤ４５に蓄積されたＡ／Ｖデータを読み出すことで、編集された素材が送出される。すなわち、ＶＦＬを用いることで、編集結果を新たなＡ／Ｖファイルとして記録する必要が無くなり、リアルタイムでの素材の編集ならびに編集結果の送出を行うことが可能となる。
【００６８】
図６は、ＶＦＬの構造の一例を示す。ＶＦＬには、対象となるＡ／Ｖファイルのファイル名と、そのファイルにおける再生開始位置すなわちＩＮ点の情報と、再生終了位置すなわちＯＵＴ点の情報とが記述される。再生開始位置および再生終了位置は、対象となるＡ／Ｖファイルにおけるアドレス空間の、先頭位置に対するそれぞれのアドレス情報である。
【００６９】
一例として、上述の図５Ａに示した例で、長さ〔４００〕のファイル「Ａ」に対して、ファイル先頭から長さ〔１０〕の位置をＩＮ点として、このＩＮ点から長さ〔５０〕分だけ後ろの、先頭から長さ〔６０〕の位置がＯＵＴ点とする場合、図７に示されるように、再生開始位置が〔１０〕とされ、再生終了位置が〔６０〕とされる。
【００７０】
一方、既に述べたように、ファイルは、ＨＤＤ４５上に書き込まれる際に、ＨＤＤ４５上の異なる領域に分断されて書き込まれる場合がある。分断されたファイルは、レコードエントリ情報のリンク情報を次々に辿ってレコードエントリ情報を参照することで、ファイル管理部４３によって一つの連続的なファイルとして管理される。
【００７１】
ＶＦＬに関しても同様にして、記述された再生開始位置から再生終了位置までの間がＨＤＤ４５の異なる領域に分断されて書き込まれている場合がある。図８は、この場合の処理を、上述の図５Ａに準えて示す。ファイル「Ａ」は、図８Ａに示されるように、ＨＤＤ４５上において異なる領域に分断されて記録されている。一方、ＶＦＬのアドレス空間における再生開始位置および再生終了位置は、図８Ｂのようになる。
【００７２】
ファイル管理部４３では、ファイルエントリ情報およびレコードエントリ情報に基づき、レコードエントリ情報に記述されるファイル先頭位置データと連続領域の記録長データとから、ファイル「Ａ」の、ＶＦＬに記述される再生開始位置にアクセスする。図８Ａの例では、ファイル「Ａ」の先頭位置がＨＤＤ４５のアドレス空間の、アドレス〔５０〕である。ＶＦＬによって、再生開始位置がファイル「Ａ」のアドレス空間においてアドレス〔１０〕とされているため、ＨＤＤ４５のアドレス空間におけるアドレス〔５０〕に対して長さ〔１０〕を加えた、ＨＤＤ４５のアドレス空間のアドレス〔６０〕から再生が開始される。
【００７３】
ＶＦＬの再生開始位置と再生終了位置とによって、当該レコードエントリ情報に記述される連続領域の記録長を越えた再生長が指定されているときには、レコードエントリ情報のリンク情報に基づき次のレコードエントリ情報にリンクする。図８Ａの例では、ＶＦＬで示される再生長が〔５０〕であるのに対して、最初のレコードエントリ情報で示される記録領域は、ＨＤＤ４５のアドレス空間においてアドレス〔５０〕からアドレス〔１００〕までである。再生がアドレス〔６０〕から開始されているので、ＶＦＬで指定されている再生長を再生するためには、さらに長さ〔１０〕のデータを再生しなければならない。リンク情報に基づきリンクされた次のレコードエントリ情報に示されるファイル先頭位置から、上述した長さ〔１０〕のデータが再生される。すなわち、ＨＤＤ４５のアドレス空間上で、アドレス〔２００〕からアドレス〔２１０〕までが再生される。
【００７４】
すなわち、ＶＦＬのアドレス空間におけるファイル「Ａ」の、ＶＦＬで示される再生範囲は、図８Ｂに示されるように、ＨＤＤ４５のアドレス空間上の連続領域に基づき、ＨＤＤ４５上では、長さ〔４０〕の部分と長さ〔１０〕の部分とに分断されてそれぞれ異なる領域に書き込まれていることになる。
【００７５】
一方、ＶＦＬが図９に一例が示されるような記述であるなら、ＨＤＤ４５のアドレス空間において、実際に再生されるべきデータのアドレスは、アドレス〔６０〕から再生され、アドレス〔１００〕までの連続領域に書き込まれたデータが再生されることになる。
【００７６】
図１０は、上述の図３に示したメータパネル３の構成の一例を示す。メータパネル３は、表示を行う表示部８６、表示部８６に対する表示制御を行う表示制御部８２、操作スイッチ８５およびメモリ８４を有する。表示制御部８２は、ＣＰＵバス３０Ｂを介し、インターフェイス５２から各ポート６０Ａ〜６０Ｄの動作状態を示すフラグを受け取る。表示制御部８２は、ＣＰＵ８３を有し、ＣＰＵ８３で、受け取ったフラグをもとに表示データを作成する。
【００７７】
表示部８６は、表示部１１に表示を行う表示器９０、表示器９０を駆動するドライバ８９、上述の表示制御部８２で作成された表示データが書き込まれるメモリ８７およびメモリ８７から表示データを読み出し、読み出した表示データに基づきドライバ８９を所定に制御するＣＰＵ８８を有する。
【００７８】
操作スイッチ８５は、例えばポート選択ボタンおよびポートのそれぞれに対応するレベル設定つまみである。ユーザによりポート選択ボタンが操作されることにより、ポート６０Ａ〜６０Ｄのうち所望のポートが選択され、ポート選択情報が表示制御部８２に供給される。また、レベル設定つまみを操作することで、対応するポートの例えばオーディオデータのレベルを設定することができる。レベル設定つまみの操作によるレベル設定情報が表示制御部８２に供給される。ポート選択情報およびレベル設定情報は、それぞれ所定の制御を行う制御用のコマンドとされ、表示制御部８２から出力される。
【００７９】
表示器９０は、例えば表示面内に複数の蛍光体が所定パターンに配置された蛍光表示管からなり、これら所定パターンの各蛍光体それぞれの発光をドライバ８９で制御することにより、表示面に対して所定の表示を行うようにされている。各蛍光体が形成するパターンのそれぞれをセグメントと称する。
【００８０】
図１１は、表示器９０の表示画面に対してなされる表示の一例を示す。表示器９０の表示画面は、ポート６０Ａ〜６０Ｄにそれぞれ対応する４つの領域からなる。この例では、左上の領域がポート６０Ａ、右上の領域がポート６０Ｂ、左下の領域がポート６０Ｃおよび右下の領域がポート６０Ｄにそれぞれ対応する。なお、上述の図３では、ポート６０Ｃが出力ポートであるとして説明しているが、ここでは、ポート６０Ｃをポート６０Ａと同様の構成とし、入力ポートとしている。
【００８１】
例えば、ポート６０Ｂに対応する右上の領域において、上段にはポート名１００、タイムコード１０１が表示される。ポート名１００の下に、ポートの動作状態表示１０２が表示される。詳細は後述するが、ポートの動作状態表示１０２によって、各ポート６０Ａ〜６０Ｄそれぞれの、記録、再生、早送り（ＦＦＷＤ）、巻き戻し（ＲＥＷ）、静止画表示などの各種の動作を示す表示がなされる。また、各種ステータス表示１０３やオーディオレベルメータ１０４が表示される。
【００８２】
この図１１の例では、ポート６０Ｂのポート名が「Ｐ１」で、現在のタイムコードが「００：０５：５６：２２」であることが分かり、動作状態表示１０２の表示により、早送り再生されていることがわかる。各種ステータス表示１０３は、現在のポート６０Ｂの所定のステータスが表示され、オーディオレベルメータ１０４には、出力ポートであるポート６０Ｂから現在出力されているオーディオ信号のレベルが略リアルタイムで表示される。
【００８３】
図１２は、ポートの動作状態表示１０２のセグメント構成の一例を示す。この実施の一形態では、上述したようなポートの各種動作を表現するために、セグメント（ｓｅｇ）Ａ〜Ｇの７つのセグメントが用いられる。後述するが、セグメントＤおよびＥは、記録時と時系列的に同一方向への再生を示す。これに対して、セグメントＡおよびＢは、記録時と時系列的に逆方向への再生を示す。セグメントＣは、静止画表示（スチル）を示す。また、セグメントＦは、停止状態を示し、セグメントＧは、記録中であることを示す。これらセグメントＡ〜Ｆの発光がそれぞれ制御されることで、当該ポートの動作が表示される。
【００８４】
このように、各ポートの動作状態がシンボルで表示されることにより、各ポートの動作状態を明確に把握することができる。
【００８５】
セグメントＡ〜Ｇのそれぞれの発光の制御は、メモリ８７に書き込まれた表示データに基づきなされる。図１３は、表示データの一例を示す。表示データとしては、例えば各セグメントＡ〜Ｇのそれぞれにビットを対応させたフラグを用いることができる。すなわち、図１３に一例が示されるように、７個のセグメントＡ〜Ｇのそれぞれに１ビットずつが設けられる。また、図示しないが、ポートを識別する情報が表示データに含まれる。対応するビットの値に基づき、表示制御部８２によりセグメントＡ〜Ｇの発光を制御する。
【００８６】
この実施の一形態では、表示器９０に表示する各ポートの動作状態として、図１３に示される８状態が設定されている。すなわち、再生（ＰＬＡＹ）、停止（ＳＴＯＰ）、記録（ＲＥＣ）および静止画表示（ＳＴＩＬＬ）といった通常の動作の４状態と、ダイヤル２９などを用いて、記録時の速度と時系列的に異なる速度で再生を行う特殊再生の４状態とが表示器９０に対して表示される。これら８動作状態についての詳細は、後述する。
【００８７】
これら８動作状態のそれぞれについて表示するセグメントが決められ、表示データが作成される。この例では、表示させたいセグメントに対応するビットを立てることで、表示するセグメントが示される。表示データは、動作状態のそれぞれに対してユニークである必要はなく、例えば「ＰＬＡＹ」と「ＦＷＤ１倍速以下」のように、異なる動作状態で同一の表示を用いることもできる。
【００８８】
次に、図１４のフローチャートを用いて、表示器９０に対する表示処理の一例について、概略的に説明する。図１４Ａは、表示制御部８２の処理を示し、図１４Ｂは、表示部８６の処理を示す。これら図１４Ａおよび図１４Ｂの処理は、並列的になされるものである。
【００８９】
先ず、図１４Ａの表示制御部８２の処理について説明する。最初のステップＳ１０で、表示制御部８２に対して、制御部３６に設けられるインターフェイス５２から、全ポート６０Ａ〜６０Ｄの動作状態を示す情報が供給される。例えば、ポート６０Ａの動作状態は、ポート６０Ａを制御するＣＰＵ８０Ａによって所定間隔で監視されている。ポート６０Ａの動作状態を示す情報は、ＣＰＵ８０Ａによる所定間隔のポート６０Ａの監視によりＣＰＵ８０Ａから出力され、ＣＰＵバス３０Ｂを介して制御部３６にポート情報と共に転送される。これらの情報は、制御部３６からインターフェイス５２に供給され、インターフェイス５２からメータパネル３の表示制御部８２に転送される。
【００９０】
他のポート６０Ｂ〜６０Ｄにおいても同様にして、それぞれＣＰＵ８０Ｂ〜８０Ｄから出力された各ポート６０Ｂ〜６０Ｄの動作状態を示す情報がＣＰＵバス３０Ｂを介して制御部３６に転送され、インターフェイス５２に供給され、表示制御部８２に転送される。
【００９１】
次のステップＳ１１では、このようにして表示制御部８２に供給された各ポート６０Ａ〜６０Ｄの動作状態を示す情報に基づき、表示データが作成される。メモリ８４に格納されたデータは、所定のタイミングで表示制御部８２のＣＰＵ８３に読み出される。ＣＰＵ８３では、読み出したデータに基づき表示データを作成する。作成された表示データは、次のステップＳ１２で、表示部８６に供給されメモリ８７に書き込まれる。
【００９２】
一方、表示部８６では、ステップＳ２０で、ＣＰＵ８８によって所定間隔でメモリ８７から表示データが読み出され、ドライバ８９に対する制御信号に変換される。ＣＰＵ８８からドライバ８９に対してこの制御信号が供給され、この制御信号に基づきドライバ８９によって表示器９０が駆動され、表示データに基づく所定の表示がなされる。
【００９３】
次に、上述した図１３に示す各動作状態について説明する。先ず、「ＰＬＡＹ」、「ＳＴＯＰ」、「ＲＥＣ」および「ＳＴＩＬＬ」の、通常動作の４状態について説明する。「ＰＬＡＹ」は、記録時の速度と時系列的に等しい速度で、記録時と時系列に同方向に再生する動作である。「ＳＴＯＰ」は、停止状態である。「ＲＥＣ」は、記録を行う動作である。「ＳＴＩＬＬ」は、静止画表示を行う動作である。例えば、上述の「ＰＬＡＹ」動作の最中にこの「ＳＴＩＬＬ」が指示されると、再生動作が一旦中断され、そのタイミングの画像が静止画像としてモニタなどに表示される。
【００９４】
この実施の一形態では、「ＰＬＡＹ」状態でセグメントＤが表示される。「ＳＴＯＰ」状態でセグメントＦが表示される。「ＲＥＣ」状態でセグメントＧが表示される。「ＳＴＩＬＬ」状態でセグメントＣが表示される。なお、記録を示す「ＲＥＣ」状態に対応したセグメントＧは、他のセグメントとは異なる色とすると、より好ましい。例えば、他のセグメントＡ〜Ｆが白色の表示であれば、セグメントＧは、赤色の表示とされる。
【００９５】
特殊再生について説明する。特殊再生は、上述したように、ダイヤル２９などの操作によって、時系列的な再生速度や方向が記録時と異なるようにする動作である。ダイヤル２９は、図示されないセレクトボタンによって、ジョグダイアル機能と、シャトルダイヤル機能と、バリアブルダイヤル機能とを選択される。
【００９６】
ジョグダイアル機能を選択した場合には、ダイヤル２９を回転させることにより、例えば回転方向および回転速度に応じてコマ送り再生が行われる。シャトルダイヤル機能を選択した場合には、例えばダイヤル２９の角度に応じた方向ならびに速度での再生が行われる。シャトルダイヤル機能の場合には、記録時の速度よりも速い速度での再生を行うことができる。バリアブルダイヤル機能が選択された場合には、例えばダイヤル２９の角度に応じた方向ならびに速度での再生が行われる。バリアブルダイヤル機能では、主に記録時の速度よりも遅い速度での再生が行われると共に、例えば同一フレームの画像を複数回表示することにより表示画面にノイズが発生しないようにされている。
【００９７】
特殊再生の場合には、再生の時系列的な方向ならびに速度によって、表示させるセグメントが異ならされる。再生の時系列的な方向によって、セグメントＤ、Ｅを表示するか、セグメントＡ、Ｂを表示するかが決められる。記録時と時系列的に同方向の再生（正方向再生）で、セグメントＤ、Ｅが表示される。また、再生の時系列的な速度によって、例えば正方向再生の場合、セグメントＤ、Ｅの両方を表示するか、一方を表示するかが決められる。この例では、再生速度が記録時の速度を越える場合に、セグメントＤ、Ｅの両方を表示するようにしている。セグメントＡ、Ｂの場合も同様である。
【００９８】
なお、上述の図１２に示した、各ポートの動作状態を表示するためのセグメント構成は、この例に限定されず、動作状態が明確になるような方法であれば他の配置とすることができる。また、上述の図１３に示した、表示器９０に表示すべき動作状態も、この例に限定されず、他の動作状態を表示するようにできる。さらに、表示器９０は、蛍光表示器に限らず、ＬＣＤ(Liquid Crystal Display)やＬＥＤ(Light Emmiting Diode)など、他の表示素子を用いることができる。
【００９９】
また、上述では、入出力ポートがポート６０Ａ〜６０Ｄの４個であるとして説明したが、これはこの例に限定されない。さらに多くの入出力ポートを設け、それぞれの動作状態を一度に表示させることも可能である。
【０１００】
【発明の効果】
以上説明したように、この発明によれば、入出力を行うポートを複数有するＡ／Ｖサーバの操作パネルに対して、全ポートの現在の動作状態が各ポート毎にシンボルで表示される。そのため、ユーザは、全ポートの動作状態を明確に把握することができるという効果がある。
【０１０１】
また、これにより、ユーザは、空きポートの検索や、各ポート毎の動作異常の発見などを容易に行うことができる効果がある。
【図面の簡単な説明】
【図１】発明の一実施の形態に係るデータ記録再生装置の外観を示す斜視図である。
【図２】メータパネルとコントロールパネルにおける主要な部分を示す正面図である。
【図３】実施の一形態に係るデータ記録再生装置の回路構成を示すブロック図である。
【図４】ファイルエントリ情報、レコードエントリ情報およびフリースペース情報のそれぞれの構造を概略的に示す略線図である。
【図５】レコードエントリ情報によるファイルのアクセスについて概略的に示す略線図である。
【図６】仮想ファイルＶＦＬの構造の一例を示す略線図である。
【図７】仮想ファイルＶＦＬの記述の一例を示す略線図である。
【図８】仮想ファイルＶＦＬを用いて、異なる領域に分断されて書き込まれたファイルを再生する処理を説明するための略線図である。
【図９】仮想ファイルＶＦＬの記述の他の例を示す略線図である。
【図１０】メータパネルの構成の一例を示すブロック図である。
【図１１】表示器の表示画面に対してなされる表示の一例を示す略線図である。
【図１２】ポートの動作状態表示のセグメント構成の一例を示す略線図である。
【図１３】ポートの動作状態を表示するための表示データの一例を示す略線図である。
【図１４】表示器に対する表示処理を説明するためのフローチャートである。
【符号の説明】
１・・・データ記録再生装置、２・・・筐体、３・・・メータパネル、４・・・コントロールパネル、１１・・・表示部、３０・・・内部バス、３１・・・タイミング管理部、３２・・・情報管理部、３３・・・記録再生部、３４Ａ〜３４Ｄ・・・データ管理部、３６・・・制御部、３７Ａ〜３７Ｄ・・・データ入出力部、３９・・・特殊効果部、４１・・・タイミングパルス発生器、４５，４６・・・ＨＤＤ、５１・・・編集部、６０Ａ〜６０Ｄ・・・ポート、６１Ａ〜６１Ｄ・・・端子、８２・・・表示制御部、８３・・・ＣＰＵ、８４・・・メモリ、８６・・・表示部、８７・・・メモリ、８８・・・ＣＰＵ、８９・・・ドライバ、９０・・・表示器、１０２・・・ポートの動作状態表示
【図１】
0004433510.tif 000002
【図２】
0004433510.tif 000003
【図３】
0004433510.tif 000004
【図４】
0004433510.tif 000005
【図５】
0004433510.tif 000006
【図６】
0004433510.tif 000007
【図７】
0004433510.tif 000008
【図８】
0004433510.tif 000009
【図９】
0004433510.tif 000010
【図１０】
0004433510.tif 000011
【図１１】
0004433510.tif 000012
【図１２】
0004433510.tif 000013
【図１３】
0004433510.tif 000014
【図１４】
0004433510.tif 000015